(57)【要約】【課題】ゴルフ用手袋を長時間使用すれば、グリップ力が低下することにより、ショットに正確さが欠けるとともに、手と手袋間に緩みや滑りが発生し、手に水腫を作ることがあった。本発明は、これらの問題を解決するための手袋を提供する。【解決手段】掌当て基材を、ゴルフクラブをグリップしている状態の立体形状とし、これに親指カバー、中指カバー、薬指カバー及び小指カバーを接合し、甲側は親指と中指、薬指及び小指の第２関節までを覆い、甲部及び人差指は露出する構造とした。掌当て基材は、伸縮性、圧縮変形性及び低反発復元性を有する素材を単層又は複数枚を積層して所定の厚さとし、グリップを包み込むような状態で装着できるようにした。すなわち、掌当て基材の形状、伸縮性、圧縮変形性及び低反発復元性を利用して掌とグリップの隙間を無くし、グリップ力を強化する構造とした。【選択図】図１
2008093180.tif 000002
【特許請求の範囲】
【請求項１】
ゴルフクラブをグリップしている状態の形状を有する立体形状の手袋であって、親指、中指、薬指及び小指の４指で着用し、甲側の指カバーが指先より第２関節までを覆い、甲部は開放され、人差指と甲部が露出する構造であることを特徴としたゴルフ用手袋。
【請求項２】
手袋を構成する部品が、掌当て基材、親指カバー、中指カバー、薬指カバー及び小指カバーからなり。指カバーが縫製又は接着により掌当て基材に接合された請求項１記載のゴルフ用手袋。
【請求項３】
掌当て基材が、水平方向に２〜１２％の伸縮性を有し、アドレス時のグリップ力で厚さが７０〜９０％圧縮変形し、低反発で復元するポリ塩化ビニール製素材、ウレタン製素材又はシリコーン製素材を単層又は複数枚を積層させて使用することを特長とした請求項１及び請求項２記載のゴルフ用手袋。
【発明の詳細な説明】
【技術分野】
【０００１】
本発明は、グリップ力を強化するためのゴルフ用手袋に関するものである。
【背景技術】
【０００２】
ゴルフクラブのグリップ力の強化にはゴルフクラブのグリップの改良とゴルフ用手袋の改良の両面から検討されている。ゴルフ用手袋については、必要に応じてグリップの緩み防止用の軟質パッド装着する方法（例えば、特許文献１参照。）、滑り止めのためのゴム製突起を備えたもの（例えば、特許文献２参照。）、グリップ力補強手袋として手袋の掌部分の全体に皺が発生せず、堅く把指できるようにしたもの（例えば、特許文献３参照。）等が開示されている。これらは、いずれも手袋としては平面的なものであり、立体的形状を有するものではない。
【特許文献１】特開２００４−１８１１４５号公報
【特許文献２】特開２０００−２７１２６０号公報
【特許文献３】特開平８−１０７９５４号公報
【発明の開示】
【発明が解決しようとする課題】
【０００３】
ゴルフ用手袋を長時間使用すれば、グリップ力が低下することにより、ショットに正確さが欠けるとともに、手と手袋間に緩みや滑りが発生し、手に水腫を作ることがあった。本発明は、これらの問題を解決するための手袋を提供する。
【課題を解決するための手段】
【０００４】
掌当て基材１を、ゴルフクラブをグリップしている状態の立体形状とし、これに親指カバー２、中指カバー３、薬指カバー４及び小指カバー５を接合し、甲側は親指と中指、薬指及び小指の第２関節までを覆い、甲部及び人差指は露出する構造とした。掌当て基材１は、伸縮性、圧縮変形性及び低反発復元性を有する素材を単層又は複数枚を積層して７〜９ｍｍの厚さとし、グリップを包み込むような状態で装着できるようにした。すなわち、掌当て基材１の形状、伸縮性、圧縮変形性及び低反発復元性を利用して掌とグリップの隙間を無くし、グリップ力を強化する構造とした。これにより水腫の発生を防止できる。
【発明の効果】
【０００５】
本発明ゴルフ用手袋の使用、すなわち、立体形状の手袋を使用することにより、掌や指の凸部だけが強く圧縮される事無く、掌全面に圧力が分散され、しっかりグリップされた状態で使用出来るので、長時間のプレーによってもグリップ力が維持され、また、水腫ができることがなくなった。
【０００６】
本発明ゴルフ用手袋の着用により、甲部及び人差指部の被覆がなくなり、結果として、日焼けによる左右の手の甲部分の皮膚色が著しく異なる現象が解消される副次的効果も認められた。
【発明を実施するための最良の形態】
【０００７】
本発明は、ゴルフクラブのグリップ力を強化するための手袋であり、手とグリップ間に発生する隙間を、伸縮性を有する掌当て基材で埋め、グリップ力を強化することにより手と手袋間の緩みや滑りを無くする構造の立体形状の手袋を提供する。
【０００８】
本発明ゴルフ用手袋は、図１及び図２に示すように、ゴルフクラブをグリップしている状態を、そのまま手袋の形状とした。親指、中指、薬指及び小指の４指で着用し、掌と中指、薬指及び小指でグリップを包み込む状態でグリップする。このとき、中指、薬指及び小指の各指カバーが接合される部分の掌当て基材１は分離されておらず、中指と薬指及び小指の３指が連動してゴルフクラブをグリップすることで、手とグリップ間に発生する隙間を掌当て基材１が埋め、しかも掌当て基材１の掌部及び指部とグリップとの間のグリップ力が均等化され、グリップ力が強化される。
【０００９】
掌当て基材１は、ゴルフクラブをグリップしている状態の立体形状であり、ミトン型素材の全体が概アーチ型となっている。アーチ曲面の概平行方向先端に連続して中指カバー３、薬指カバー４及び小指カバー５が、アーチ曲面の概垂直方向に親指カバー２が接合される。接合方法は縫製するのが耐久性に優れるが、接着剤による接合であっても機能的には何ら問題を有しない。
【００１０】
親指、中指、薬指及び小指の各指カバーは皮革、布、合成皮革が使用される。袋状の指挿入部の大きさは各ゴルファーの指サイズに合わせるのが理想である。
【００１１】
掌当て基材１は、２〜１２％の伸縮性を有するポリ塩化ビニール製素材、ウレタン製素材又はシリコーン製素材を単層又は積層させて用いる。厚さは７〜９ｍｍとしアドレス時のグリップ力程度の低圧で７０〜９０％圧縮変形し、低反発で復元する特性を有するよう調整して使用する。掌当て基材１を、この範囲の伸縮量、圧縮変形量に制御することで良好なグリップ感が得られる。
【００１２】
掌当て基材１の伸縮性は水平方向に均等なものでもよいが、縦方向、横方向で伸縮量が異なる伸縮異方性素材が好適である。この場合は、立体形状掌当て基材１の曲面と概平行方向に８〜１２％、直角方向に２〜４％に調整すればより良好なグリップ感が得られる。
【００１３】
積層は、前記各種素材を部分加熱又は接着剤により行なう。成形は、円柱又は円筒型の外周に前記素材を押し当てた状態で、部分加熱又は接着剤により固定積層し、所定形状の掌当て基材１の形状を完成させることができる。厚さは、前記素材を３〜７枚程度積層し、７〜９ｍｍ程度にすることで良好なグリップ感が得られる。
掌当て基材１の成形を、ゴルファー各個人に合わせて造ること事により、各ゴルファーにグリップとの緩みや滑りを無くした最適のゴルフ用手袋を供給することができる。
【００１４】
掌当て基材１は、通常積層して使用するが、単層で使用することもできる。この場合、所定寸法のパイプ状素材をカットして用いるとよい。
【実施例１】
【００１５】
本発明の詳細を実施例で説明する。本発明はこの実施例によって何ら限定されるものではない。
【００１６】
防滑用シートとして市販されている厚さ１．６ｍｍのポリ塩化ビニール製ネット素材を５枚重ねて使用し、外径３５ｍｍの円柱状の型に押し当て、厚さ８ｍｍのア−チ型形状を成形し、スポット加熱器で溶着させて掌当て基材１を完成させた。このときの掌当て基材１の伸縮性は曲面と平行方向で１０％、曲面と直角方向で３％であった。この掌当て基材１に図１に示す親指カバー２、中指カバー３、薬指カバー４及び小指カバー５を縫合により接合した。この手袋を使用してゴルフクラブをアドレス時の強さでグリップしたときの掌当て基材１の厚さは、約８４％圧縮され、１．３ｍｍであった。また、この手袋を使用して３日間連続してプレーした後も水腫の発生や違和感がなく、グリップ力が強化されていることが証明された。
【図面の簡単な説明】
【００１７】
【図１】本発明ゴルフ用手袋の甲側親指方向からの斜視図である。
【図２】本発明ゴルフ用手袋の掌側方向からの斜視図である。
【符号の説明】
【００１８】
１  掌当て基材
２  親指カバー
３  中指カバー
４  薬指カバー
５  小指カバー
６  縫製目
【図１】
2008093180.tif 000003
【図２】
2008093180.tif 000004